【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
印刷装置と通信可能であり、記憶手段に記憶されている画像データの印刷を前記印刷装置に対して指示可能な撮像装置であって、
前記記憶手段に記憶されている画像のデータのうち、印刷対象の画像データに対する画像補正処理を実施するために、補正項目および補正量を含む補正内容をユーザが設定するための設定手段と、
前記印刷装置の画像補正能力に関する能力情報を取得する取得手段と、
前記取得手段により取得した能力情報に応じて、前記設定手段により設定された補正内容を示す補正情報を前記印刷装置に送信するか否かを決定する決定手段と、
前記決定手段により前記補正情報を送信すると決定された場合は、前記印刷対象の画像データおよび前記補正情報を前記印刷装置に送信し、前記決定手段により前記補正情報を送信しないと決定された場合には前記補正情報は送信せずに前記印刷対象の画像データを前記印刷装置に送信する送信手段と、
を有することを特徴とする撮像装置。
【請求項２】
さらに、前記設定手段により設定された補正内容に応じて前記印刷対象の画像データに画像補正処理を実行するための画像処理手段を有し、
前記決定手段により補正情報を送信しないと決定された場合に、前記送信手段は、前記印刷対象の画像データに、前記設定手段により設定された補正内容に応じた画像補正処理を前記画像処理手段により施してから前記印刷装置に送信することを特徴とする請求項１に記載の撮像装置。
【請求項３】
前記決定手段は、前記能力情報に基づく前記印刷装置の画像補正能力と前記画像処理手段における画像補正能力とを比較し、当該比較の結果に応じて、前記補正情報を前記印刷装置に送信するか否かを決定することを特徴とする請求項２に記載の撮像装置。
【請求項４】
前記能力情報は、前記印刷装置における画像補正処理がハードウエアで実行されるのかソフトウエアで実行するのかに関する情報を含み、
前記決定手段は、前記印刷装置での画像補正処理はハードウエアで実行され、前記画像処理手段による画像補正処理はソフトウエアで実行される場合に、前記補正情報を前記印刷装置に送信すると決定することを特徴とする請求項３に記載の撮像装置。
【請求項５】
前記能力情報は、前記印刷装置における画像補正処理の処理速度または処理精度に関する情報を含むことを特徴とする請求項１ないし３のいずれか１項に記載の撮像装置。
【請求項６】
前記能力情報は、前記印刷装置における画像補正処理ソフトウエアモジュールのバージョン情報を含み、
前記決定手段は、前記画像処理手段が用いる画像補正処理ソフトウエアモジュールのバージョンよりも前記印刷装置の画像補正処理ソフトウエアモジュールのバージョンのほうが新しい場合には、前記補正情報を前記印刷装置に送信すると決定することを特徴とする請求項３に記載の撮像装置。
【請求項７】
前記取得手段は、前記印刷装置との通信を確立させるためのコンフィグレーション時に前記能力情報を取得することを特徴とする請求項１ないし６のいずれか１項に記載の撮像装置。
【請求項８】
印刷装置と通信可能であり、記憶装置に記憶されている画像データの印刷を前記印刷装置に対して指示可能な撮像装置の制御方法であって、
前記記憶装置に記憶されている画像のデータのうち、印刷対象の画像データに対する画像補正処理を実施するために、補正項目および補正量を含む補正内容をユーザが設定するための設定画面を表示する表示ステップと、
前記印刷装置の画像補正能力に関する能力情報を取得する取得ステップと、
前記取得ステップにより取得した能力情報に応じて、前記設定画面を通じて設定された補正内容を示す補正情報を前記印刷装置に送信するか否かを決定する決定ステップと、
前記決定ステップにより前記補正情報を送信すると決定された場合は、前記印刷対象の画像データおよび前記補正情報を前記印刷装置に送信し、前記決定ステップにより前記補正情報を送信しないと決定された場合には前記補正情報は送信せずに前記印刷対象の画像データを前記印刷装置に送信する送信ステップと、
を有することを特徴とする撮像装置の制御方法。
【請求項９】
前記撮像装置が、前記設定画面により設定された補正内容に応じて前記印刷対象の画像データに画像補正処理を実行するための画像処理部を有し、
前記決定ステップにより補正情報を送信しないと決定された場合に、前記送信ステップは、前記印刷対象の画像データに、前記設定画面を通じて設定された補正内容に応じた画像補正処理を前記画像処理部により施してから前記印刷装置に送信することを特徴とする請求項８に記載の撮像装置の制御方法。
【請求項１０】
前記決定ステップは、前記能力情報に基づく前記印刷装置の画像補正能力と前記画像処理部における画像補正能力とを比較し、当該比較の結果に応じて、前記補正情報を前記印刷装置に送信するか否かを決定することを特徴とする請求項９に記載の撮像装置の制御方法。
【請求項１１】
前記能力情報は、前記印刷装置における画像補正処理がハードウエアで実行されるのかソフトウエアで実行するのかに関する情報を含み、
前記決定ステップは、前記印刷装置での画像補正処理はハードウエアで実行され、前記画像処理部による画像補正処理はソフトウエアで実行される場合に、前記補正情報を前記印刷装置に送信すると決定することを特徴とする請求項１０に記載の撮像装置の制御方法。
【請求項１２】
前記能力情報は、前記印刷装置における画像補正処理の処理速度または処理精度に関する情報を含むことを特徴とする請求項８ないし１０のいずれか１項に記載の撮像装置の制御方法。
【請求項１３】
前記能力情報は、前記印刷装置における画像補正処理ソフトウエアモジュールのバージョン情報を含み、
前記決定ステップは、前記画像処理部が用いる画像補正処理ソフトウエアモジュールのバージョンよりも前記印刷装置の画像補正処理ソフトウエアモジュールのバージョンのほうが新しい場合には、前記補正情報を前記印刷装置に送信すると決定することを特徴とする請求項１０に記載の撮像装置の制御方法。
【請求項１４】
前記取得ステップは、前記印刷装置との通信を確立させるためのコンフィグレーション時に前記能力情報を取得することを特徴とする請求項８ないし１３のいずれか１項に記載の撮像装置の制御方法。
【手続補正２】
【補正対象書類名】明細書
【補正対象項目名】発明の名称
【補正方法】変更
【補正の内容】
【発明の名称】撮像装置及びその制御方法
【手続補正３】
【補正対象書類名】明細書
【補正対象項目名】０００１
【補正方法】変更
【補正の内容】
【０００１】
本発明は、デジタルカメラ等の撮像素子を具備する撮像装置から、プリンタ等の印刷装置へ直接印刷を行うダイレクトプリントに対応した撮像装置及びその制御方法に関する。
【手続補正４】
【補正対象書類名】明細書
【補正対象項目名】００２０
【補正方法】変更
【補正の内容】
【００２０】
上述の目的は、印刷装置と通信可能であり、記憶手段に記憶されている画像データの印刷を印刷装置に対して指示可能な撮像装置であって、記憶手段に記憶されている画像のデータのうち、印刷対象の画像データに対する画像補正処理を実施するために、補正項目および補正量を含む補正内容をユーザが設定するための設定手段と、印刷装置の画像補正能力に関する能力情報を取得する取得手段と、取得手段により取得した能力情報に応じて、設定手段により設定された補正内容を示す補正情報を印刷装置に送信するか否かを決定する決定手段と、決定手段により補正情報を送信すると決定された場合は、印刷対象の画像データおよび補正情報を印刷装置に送信し、決定手段により補正情報を送信しないと決定された場合には補正情報は送信せずに印刷対象の画像データを印刷装置に送信する送信手段と、を有することを特徴とする撮像装置によって達成される。
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
また、上述の目的は、印刷装置と通信可能であり、記憶装置に記憶されている画像データの印刷を印刷装置に対して指示可能な撮像装置の制御方法であって、記憶装置に記憶されている画像のデータのうち、印刷対象の画像データに対する画像補正処理を実施するために、補正項目および補正量を含む補正内容をユーザが設定するための設定画面を表示する表示ステップと、印刷装置の画像補正能力に関する能力情報を取得する取得ステップと、取得ステップにより取得した能力情報に応じて、設定画面を通じて設定された補正内容を示す補正情報を印刷装置に送信するか否かを決定する決定ステップと、決定ステップにより補正情報を送信すると決定された場合は、印刷対象の画像データおよび補正情報を印刷装置に送信し、決定ステップにより補正情報を送信しないと決定された場合には補正情報は送信せずに印刷対象の画像データを印刷装置に送信する送信ステップと、を有することを特徴とする撮像装置の制御方法によっても達成される。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】